(57)【要約】【課題】この発明は、回転しているディスクのラベル情報を容易に目視可能とするともに、そのラベル情報の積極的な利用を効果的に促し得るディスク再生装置及びその制御方法を提供することを目的としている。【解決手段】ディスクトレイ１２に搭載され、ＤＶＤプレーヤ１１内部にローディングされた光ディスク１５を、撮影装置１４で撮影し、そのデジタル映像データを記憶装置１７に記憶させる。そして、記憶装置１７に記憶されたデジタル映像データを、表示装置１８に表示させるとともに、映像出力部１９を介して外部にデジタル出力可能とする。【選択図】    図１
2004206755.tif 000002
【特許請求の範囲】
【請求項１】
ディスクの表面を撮影し映像データを出力する撮影手段と、この撮影手段から出力された映像データを記憶する記憶手段と、この記憶手段に記憶された映像データに基づいて映像表示を行なう表示手段と、前記記憶手段に記憶された映像データを外部にデジタル出力する出力手段とを具備してなることを特徴とするディスク再生装置。
【請求項２】
前記ディスクがローディングされてから回転駆動されるまでの間に、前記撮影手段に撮影動作を行なわせる制御手段を具備してなることを特徴とする請求項１記載のディスク再生装置。
【請求項３】
前記ディスクがアンローディングされた状態で、前記記憶手段に記憶されている映像データを消去する制御手段を具備してなることを特徴とする請求項１記載のディスク再生装置。
【請求項４】
前記ディスクがローディングされてから回転駆動されるまでの間に、前記撮影手段に撮影動作を行なわせる第１の制御手段と、前記ディスクがアンローディングされた状態で、前記記憶手段に記憶されている映像データを消去する第２の制御手段とを具備してなることを特徴とする請求項１記載のディスク再生装置。
【請求項５】
装置本体に対してディスクトレイを出入制御するローディング手段と、このローディング手段によって前記ディスクトレイが出状態から入状態に制御されたとき、前記撮影手段に撮影動作を行なわせる制御手段とを具備してなることを特徴とする請求項１記載のディスク再生装置。
【請求項６】
装置本体に対してディスクトレイを出入制御するローディング手段と、このローディング手段によって前記ディスクトレイが入状態から出状態に制御されたとき、前記記憶手段に記憶されている映像データを消去する制御手段とを具備してなることを特徴とする請求項１記載のディスク再生装置。
【請求項７】
装置本体に対してディスクトレイを出入制御するローディング手段と、このローディング手段によって前記ディスクトレイが出状態から入状態に制御されたとき、前記撮影手段に撮影動作を行なわせる第１の制御手段と、前記ローディング手段によって前記ディスクトレイが入状態から出状態に制御されたとき、前記記憶手段に記憶されている映像データを消去する第２の制御手段とを具備してなることを特徴とする請求項１記載のディスク再生装置。
【請求項８】
ディスクの表面を撮影し映像データを得る工程と、得られた前記映像データを記憶する工程と、記憶された前記映像データに基づいて映像表示を行なう工程と、記憶された前記映像データを外部にデジタル出力する工程とを有することを特徴とするディスク再生装置の制御方法。
【請求項９】
前記ディスクがローディングされてから回転駆動されるまでの間に、前記ディスクの表面の撮影が行なわれることを特徴とする請求項８記載のディスク再生装置の制御方法。
【請求項１０】
前記ディスクがアンローディングされた状態で、記憶された前記映像データが消去されることを特徴とする請求項８記載のディスク再生装置の制御方法。
【請求項１１】
前記ディスクがローディングされてから回転駆動されるまでの間に、前記ディスクの表面の撮影が行なわれ、前記ディスクがアンローディングされた状態で、記憶された前記映像データが消去されることを特徴とする請求項８記載のディスク再生装置の制御方法。
【請求項１２】
装置本体に対してディスクトレイを出入する工程を有し、前記ディスクトレイが出状態から入状態に制御されたときに、前記ディスクの表面の撮影が行なわれることを特徴とする請求項８記載のディスク再生装置の制御方法。
【請求項１３】
装置本体に対してディスクトレイを出入する工程を有し、前記ディスクトレイが入状態から出状態に制御されたときに、記憶された前記映像データが消去されることを特徴とする請求項８記載のディスク再生装置の制御方法。
【請求項１４】
装置本体に対してディスクトレイを出入する工程を有し、前記ディスクトレイが出状態から入状態に制御されたときに、前記ディスクの表面の撮影が行なわれ、前記ディスクトレイが入状態から出状態に制御されたときに、記憶された前記映像データが消去されることを特徴とする請求項８記載のディスク再生装置の制御方法。
【発明の詳細な説明】
【０００１】
【発明の属する技術分野】
この発明は、ディスク状の記録媒体からデータを再生するディスク再生装置及びその制御方法に関する。
【０００２】
【従来の技術】
周知のように、現在では、例えばＣＤ（Compact Disk）、ＬＤ（Laser Disk）、Ｖ（Video）−ＣＤ及びＤＶＤ（Digital Versatile Disk）等のような光ディスクから、そこに記録されているデータを再生するディスク再生装置が市場に普及している。
【０００３】
この種のディスク再生装置は、光ディスクが装着されると、その光ディスクを回転駆動させながら、光学式ピックアップを介して記録されているデータの読み取りを行ない、その読み取ったデータに再生のための所定の信号処理を施すことによって、映像及び音声等を再生するようにしている。
【０００４】
ところで、このようなディスク再生装置は、一般的に、光ディスクの装着及び取り出しを、装置本体に出入自在に設置されたディスクトレイを介して行なう構造となっている。
【０００５】
すなわち、ディスク再生装置に光ディスクを装着する場合には、ディスクトレイを装置本体から出し、その上に光ディスクを搭載した後、ディスクトレイを装置本体に収納させる。
【０００６】
また、ディスク再生装置から光ディスクを取り出す場合には、ディスクトレイを装置本体から出し、その上に搭載されている光ディスクを取り出した後、ディスクトレイを装置本体に収納させる。
【０００７】
ところで、このようなディスクトレイを有するディスク再生装置では、ディスクトレイが装置本体内に収納されている状態では、ディスクトレイ上に光ディスクが搭載されているか否かを、装置本体の外部からユーザが目視して確認することは不可能になる。
【０００８】
このため、ディスク再生装置の中には、その装置本体に窓を形成して、光ディスクの有無及び回転状態等を、ユーザが目視によって確認可能とした機種も出現している。
【０００９】
一方、光ディスクの表面には、例えばタイトル等のラベル情報が印刷されている。しかしながら、光ディスクがディスク再生装置に装着されて高速で回転駆動されている状態では、上記の窓からユーザが目視したとしても、単に光ディスクが回転していることを確認することができるだけで、光ディスクのラベル情報を読むことは不可能である。
【００１０】
なお、特許文献１として提示した特開平３−２８６４７０号公報には、ディスク再生機の蓋に透視窓を設け、ディスク表面を照明する発光体をディスクの回転周期に対応して点滅させることにより、回転しているディスクの文字や絵をユーザが肉眼で読むことを可能とした構成が開示されている。
【００１１】
また、特許文献２として提示した特開２００１−３５０７２号公報には、ＣＤプレーヤの蓋体に液晶シャッタを設置し、この液晶シャッタをディスクの回転周期に対応して光透過状態にすることにより、回転しているディスクのラベル面の情報をユーザが視認することを可能とした構成が開示されている。
【００１２】
しかしながら、これらの特許文献１，２に開示されている技術は、いずれも、ディスク再生機に装着されている実際のディスクをユーザが目視するだけの構成であって、ディスク表面に印刷されたラベル情報を、ユーザに積極的に活用させ得るようなレベルにまで踏み込んではいないものである。
【００１３】
【特許文献１】
特開平３−２８６４７０号公報
【００１４】
【特許文献２】
特開２００１−３５０７２号公報
【００１５】
【発明が解決しようとする課題】
そこで、この発明は上記事情を考慮してなされたもので、回転しているディスクのラベル情報を容易に目視可能とするともに、そのラベル情報の積極的な利用を効果的に促し得るディスク再生装置及びその制御方法を提供することを目的とする。
【００１６】
【課題を解決するための手段】
この発明に係るディスク再生装置は、ディスクの表面を撮影し映像データを出力する撮影手段と、この撮影手段から出力された映像データを記憶する記憶手段と、この記憶手段に記憶された映像データに基づいて映像表示を行なう表示手段と、記憶手段に記憶された映像データを外部にデジタル出力する出力手段とを備えるようにしたものである。
【００１７】
また、この発明に係るディスク再生装置の制御方法は、ディスクの表面を撮影し映像データを得る工程と、得られた映像データを記憶する工程と、記憶された映像データに基づいて映像表示を行なう工程と、記憶された映像データを外部にデジタル出力する工程とを有するようにしたものである。
【００１８】
上記のような構成及び方法によれば、ディスクの表面を自動的に撮影し、得られた映像データを記憶して、その記憶された映像データを映像表示させるようにたので、ディスクが回転駆動されても、そのラベル情報を容易に目視することが可能となる。
【００１９】
また、記憶された映像データを外部にデジタル出力するようにしているため、ディスクのラベル情報を外部の機器によって拡大表示や編集等を行なうことが可能になり、ユーザに対して、ラベル情報の積極的な利用を効果的に促し得るものとなる。
【００２０】
【発明の実施の形態】
以下、この発明の実施の形態について、図面を参照して詳細に説明する。図１及び図２は、この実施の形態で説明するディスク再生装置としてのＤＶＤプレーヤ１１を示している。
【００２１】
このＤＶＤプレーヤ１１は、その正面パネル１１ａに対して矢印Ａ，Ｂ方向に出入自在となるように、ディスクトレイ１２を支持している。このディスクトレイ１２は、ディスクローディング装置１３によって、出状態及び入状態に制御される。
【００２２】
また、このＤＶＤプレーヤ１１は、その内部に収納された状態のディスクトレイ１２に対向する位置に、撮影装置１４を設置している。この撮影装置１４は、ディスクトレイ１２上に搭載された光ディスク１５を撮影し、デジタル映像データとして出力する機能を有している。
【００２３】
この撮影装置１４から出力されたデジタル映像データは、映像処理回路１６に供給されて所定の信号処理を施された後、記憶装置１７に記憶される。そして、映像処理回路１６は、記憶装置１７からデジタル映像データを読み出して、正面パネル１１ａに設置された液晶等でなる表示装置１８に表示させる。
【００２４】
さらに、映像処理回路１６は、記憶装置１７からデジタル映像データを読み出し、圧縮符号化処理等を施して映像出力部１９に出力している。この映像出力部１９は、入力されたデジタル映像データを外部のモニタ２０に出力し、映像表示させている。
【００２５】
ここで、上記ディスクローディング装置１３、撮影装置１４及び映像処理回路１６は、ＣＰＵ（Central Processing Unit）２１によって統括的に制御されている。
【００２６】
上記のような構成において、以下、その特徴的な動作について説明する。図３は、ディスクトレイ１２をＤＶＤプレーヤ１１の外部に引き出し、光ディスク１５を搭載してＤＶＤプレーヤの内部に引き込ませたとき、つまり、ディスクローディングが行なわれたときの動作をまとめたフローチャートである。
【００２７】
まず、開始（ステップＳ１）されると、ＣＰＵ２１は、ステップＳ２で、ディスクローディング装置１３を監視して、ディスクローディング動作が行なわれたか否かを判別する。そして、ＣＰＵ２１は、ディスクローディング動作が行なわれていないと判断した場合（ＮＯ）、処理を終了（ステップＳ６）する。
【００２８】
また、ステップＳ２で、ディスクローディング動作が行なわれたと判断された場合（ＹＥＳ）、ＣＰＵ２１は、ステップＳ３で、撮影装置１４に撮影命令を発生する。これにより、撮影装置１４によって、ディスクトレイ１２上に搭載された光ディスク１５の表面が撮影される。
【００２９】
その後、ＣＰＵ２１は、ステップＳ４で、撮影装置１４から出力されたデジタル映像データに対し、映像処理回路１６により所定の信号処理を施して、記憶装置１７に記憶させる。
【００３０】
そして、ＣＰＵ２１は、ステップＳ５で、記憶装置１７からデジタル映像データを読み出し、映像処理回路１６により所定の信号処理を施して、表示装置１８に映像表示させる。
【００３１】
次に、図４は、光ディスク１５を搭載してＤＶＤプレーヤの内部に収納されたディスクトレイ１２を、ＤＶＤプレーヤ１１の外部に引き出したとき、つまり、ディスクアンローディングが行なわれたときの動作をまとめたフローチャートである。
【００３２】
まず、開始（ステップＳ１１）されると、ＣＰＵ２１は、ステップＳ１２で、ディスクローディング装置１３を監視して、ディスクアンローディング動作が行なわれたか否かを判別する。そして、ＣＰＵ２１は、ディスクアンローディング動作が行なわれていないと判断した場合（ＮＯ）、処理を終了（ステップＳ１５）する。
【００３３】
また、ステップＳ１２で、ディスクアンローディング動作が行なわれたと判断された場合（ＹＥＳ）、ＣＰＵ２１は、ステップＳ１３で、表示装置１８を非表示状態に制御し、ステップＳ１４で、記憶装置１７に記憶されているデジタル映像データを消去して、処理を終了（ステップＳ１５）する。
【００３４】
上記した実施の形態によれば、まず、光ディスク１５がローディングされたとき、その表面を自動的に撮影し、得られたデジタル映像データを記憶し、その記憶されたデジタル映像データを映像表示させるようにしている。このため、光ディスク１５が回転駆動されても、そのラベル情報を容易に目視することが可能となる。
【００３５】
なお、撮影装置１４が光ディスク１５の表面を撮影するタイミングは、光ディスク１５がローディングされてから回転駆動されるまでの、まだ静止している状態のときに行なわれるように制御される。
【００３６】
また、撮影装置１４から得られるデジタル映像データは、ディスクアンローディング動作が行なわれるまで記憶装置１７に保持され、ディスクアンローディング動作が行なわれた時点で記憶装置１７から消去される。
【００３７】
このため、例えば光ディスク１５を装着したままで電源スイッチをオフにしても、ディスクアンローディング動作が行なわれない限り、再度電源スイッチをオンにすれば、その光ディスク１５のラベル情報を表示することができる。
【００３８】
ここで、上記した実施の形態では、記憶装置１７に記憶されたデジタル映像データを読み出して、映像処理回路１６及び映像出力部１９を介して、外部にデジタル出力することが可能になっている。
【００３９】
このため、光ディスク１５のラベル情報をモニタ２０によって拡大表示することができる。また、外部にＰＣ（Personal Computer）等を接続すれば、ラベル情報の編集を行なうことも可能になり、ユーザに対して、ラベル情報の積極的な利用を効果的に促し得るものとなる。
【００４０】
さらに、上記した実施の形態では、ＤＶＤプレーヤ１１を例に説明したが、この発明は、ＤＶＤプレーヤのみに限られるものではなく、例えば、光磁気ディスクや磁気ディスク等のディスク状記録媒体を再生可能な装置に広く適用することができる。
【００４１】
なお、この発明は上記した実施の形態に限定されるものではなく、この外その要旨を逸脱しない範囲で種々変形して実施することができる。
【００４２】
【発明の効果】
以上詳述したようにこの発明によれば、回転しているディスクのラベル情報を容易に目視可能とするともに、そのラベル情報の積極的な利用を効果的に促し得るディスク再生装置及びその制御方法を提供することができる。
【図面の簡単な説明】
【図１】この発明の実施の形態を示すもので、ＤＶＤプレーヤを説明するために示す斜視図。
【図２】同実施の形態におけるＤＶＤプレーヤの信号処理系を説明するために示すブロック構成図。
【図３】同実施の形態におけるディスクローディングが行なわれたときの動作を説明するために示すフローチャート。
【図４】同実施の形態におけるディスクアンローディングが行なわれたときの動作を説明するために示すフローチャート。
【符号の説明】
１１…ＤＶＤプレーヤ、１２…ディスクトレイ、１３…ディスクローディング装置、１４…撮影装置、１５…光ディスク、１６…映像処理回路、１７…記憶装置、１８…表示装置、１９…映像出力部、２０…モニタ、２１…ＣＰＵ。
【図１】
2004206755.tif 000003
【図２】
2004206755.tif 000004
【図３】
2004206755.tif 000005
【図４】
2004206755.tif 000006